【手続補正書】
【提出日】令和1年6月12日(2019.6.12)
【手続補正１】
【補正対象書類名】特許請求の範囲
【補正対象項目名】全文
【補正方法】変更
【補正の内容】
【特許請求の範囲】
【請求項１】
装置本体と、
前記装置本体に設けられ、シートを排出する排出手段と、
前記排出手段によって排出されたシートを支持するシート支持面を有し、前記装置本体に対して移動可能な移動トレイと、
前記移動トレイに設けられ、前記シート支持面に支持されたシートに押圧されることで移動する移動部材と、
前記装置本体に設けられ、前記移動部材の位置に基づいて前記シート支持面に支持されたシートの有無を検知可能な検知手段と、を備え、
前記移動部材には、前記装置本体に向かって前記移動トレイの外側に延出する延出部が設けられ、
前記装置本体には、前記延出部を前記装置本体の内側に受け入れる開口部が設けられ、
前記開口部は、前記装置本体の内側において、前記延出部が前記移動トレイの移動方向に沿って移動可能となるように形成され、
前記検知手段は、前記延出部を検出することで前記移動部材の位置を検知する、
ことを特徴とするシート排出装置。
【請求項２】
前記装置本体は、前記シート支持面に支持されたシートの端部に当接して整合可能な整合基準壁を有し、
前記開口部は前記整合基準壁に設けられていることを特徴とする、
請求項１に記載のシート排出装置。
【請求項３】
前記移動部材は、前記シート支持面に支持されたシートに当接可能なシート当接部を有し、前記延出部が前記整合基準壁へ向かって延出しており、前記シート当接部が前記シート支持面の上方に突出する第１位置と、前記シート当接部の高さが前記シート支持面の高さ以下となる第２位置とに移動可能であることを特徴とする、
請求項２に記載のシート排出装置。
【請求項４】
前記移動トレイを前記装置本体に対して移動させる駆動源と、
前記装置本体に設けられ、前記検知手段の検知結果に応じて前記駆動源に前記移動トレイを移動させる制御部と、を備え、
前記検知手段は、前記装置本体に設けられて前記移動トレイの移動を制御する制御部と電気的に接続された光学式センサであり、前記移動部材が前記第１位置と前記第２位置との間で移動したことを検知する、
請求項３に記載のシート排出装置。
【請求項５】
前記開口部は、前記移動トレイの前記移動方向に沿って延びるスリットからなる、
請求項１乃至４のいずれか１項に記載のシート排出装置。
【請求項６】
装置本体と、
前記装置本体に設けられ、シートを排出する排出手段と、
前記排出手段によって排出されたシートを支持するシート支持面を有し、前記装置本体に対して移動可能な移動トレイと、
前記移動トレイに設けられ、前記シート支持面に支持されたシートに押圧されることで移動する移動部材と、
前記装置本体に設けられ、前記移動部材の位置に基づいて前記シート支持面に支持されたシートの有無を検知可能な検知手段と、
前記移動部材に当接可能な当接部と、前記装置本体の内側へ向けて突出する突出部とを有し、前記当接部が前記移動部材に押圧されることで回動可能な回動部材と、を備え、
前記装置本体には、前記回動部材の前記突出部を前記装置本体の内側に受け入れる開口部が設けられ、
前記開口部は、前記装置本体の内側において、前記突出部が前記回動部材の回動方向に沿って移動可能となるように形成され、
前記検知手段が、前記回動部材の前記突出部を検出することで前記移動部材の位置を検知することを特徴とする、
シート排出装置。
【請求項７】
前記装置本体は、前記シート支持面に支持されたシートの端部に当接して整合可能な整合基準壁を有し、
前記開口部は前記整合基準壁に設けられていることを特徴とする、
請求項６に記載のシート排出装置。
【請求項８】
前記移動部材は、前記シート支持面に支持されたシートに当接可能なシート当接部と、前記装置本体に向かって延出する延出部と、を有し、
前記回動部材は、前記装置本体に支持され、前記回動部材の前記当接部が前記移動部材の前記延出部と当接するように配置され、
前記整合基準壁に設けられた前記開口部は、前記回動部材の前記突出部を前記装置本体の内側に受け入れるように形成され、
前記移動部材は、前記整合基準壁に対して前記装置本体の外側に位置することを特徴とする、
請求項７に記載のシート排出装置。
【請求項９】
前記移動部材は、前記シート当接部が前記シート支持面の上方に突出する第１位置と、前記シート当接部の高さが前記シート支持面の高さ以下となる第２位置とに移動可能であり、
前記回動部材は、前記延出部を押圧して、前記移動部材を前記第１位置に保持可能な重量からなり、
前記移動部材は、前記シート支持面に支持されたシートの重量により、前記回動部材の重量に抗して、前記第２位置に保持されることを特徴とする、
請求項８に記載のシート排出装置。
【請求項１０】
前記移動部材は、前記延出部が前記回動部材から離間している状態のとき、前記シート当接部にシートが当接していない場合であっても、前記シート当接部の重量により、前記第２位置に保持されることを特徴とする、
請求項９に記載のシート排出装置。
【請求項１１】
前記移動トレイが略鉛直方向に移動することを特徴とする、
請求項１乃至１０のいずれか１項に記載のシート排出装置。
【請求項１２】
前記移動トレイのが所定の位置にあることを検知する位置検知手段と、
前記移動トレイを前記装置本体に対して移動させる駆動源と、
前記装置本体に設けられ、前記検知手段及び前記位置検知手段による検知結果に基づいて前記駆動源に前記移動トレイを移動させる制御部と、を備え、
前記移動部材は、前記シート支持面に支持されたシートに当接可能なシート当接部を有し、前記シート当接部がシートに押圧されることにより、前記シート当接部が前記シート支持面の上方に突出する第１位置から、前記シート当接部の高さが前記シート支持面の高さ以下となる第２位置に移動するように構成され、
前記検知手段は、少なくとも前記移動トレイが前記所定の位置にある場合に、前記移動部材が前記第２位置にあることを検知可能であることを特徴とする、
請求項１乃至１０のいずれか１項に記載のシート排出装置。
【請求項１３】
前記シート支持面に支持されているシートの量を検知可能なシート量検知手段を備え、
前記制御部は、前記移動トレイが前記所定の位置にあり、かつ、前記移動部材が前記第１位置にある場合には前記移動トレイを前記所定の位置に保持させ、前記移動トレイが前記所定の位置より下方に位置するか、又は、前記移動部材が前記第２位置にある場合には前記シート量検知手段による検知結果に基づいて前記移動トレイを移動させることを特徴とする、
請求項１２に記載のシート排出装置。
【請求項１４】
前記シート支持面に支持されているシートの量を検知可能なシート量検知手段を備え、
前記制御部は、前記移動トレイが前記所定の位置にある状態で前記移動部材が前記第２位置に移動したことを検知した場合には、前記移動トレイを前記所定の位置よりも下方に移動させ、前記移動トレイが前記所定の位置よりも下方にある状態で前記移動トレイからシートが取り除かれたことを前記シート量検知手段により検知した場合には、前記移動トレイを前記所定の位置に向けて上方に移動させることを特徴とする、
請求項１２に記載のシート排出装置。
【請求項１５】
鉛直方向における前記移動トレイの可動範囲の下限位置に前記移動トレイがあることを検知可能な下限位置検知手段を備え、
前記位置検知手段は、前記可動範囲の上限位置に前記移動トレイがあることを検知可能な上限位置検知手段であることを特徴とする、
請求項１２に記載のシート排出装置。
【請求項１６】
シートに画像を形成する画像形成手段と、
前記画像形成手段によって画像が形成されたシートを排出する、請求項１乃至１５のいずれか１項に記載のシート排出装置と、
を備えた画像形成装置。
【手続補正２】
【補正対象書類名】明細書
【補正対象項目名】発明の名称
【補正方法】変更
【補正の内容】
【発明の名称】シート排出装置及び画像形成装置
【手続補正３】
【補正対象書類名】明細書
【補正対象項目名】０００１
【補正方法】変更
【補正の内容】
【０００１】
本発明は、シートを排出するシート排出装置、及びシート排出装置を備えた画像形成装置に関する。
【手続補正４】
【補正対象書類名】明細書
【補正対象項目名】０００５
【補正方法】変更
【補正の内容】
【０００５】
ところで、特許文献１に記載された検知機構は、排出トレイに配置されているため、排出トレイの昇降動作に伴って昇降する。しかしながら、このような構成では、信号線又は電源線等、有無検知センサを装置本体に接続する配線の長さに、排出トレイの昇降動作を妨げない程度の余裕を持たせることになる。この場合、配線を案内するためのガイド構成や、ユーザが排出トレイにアクセスする際に配線に触れて破損させることを防ぐための構成を設ける必要が生じてしまい、コスト低減の妨げとなる。
【手続補正５】
【補正対象書類名】明細書
【補正対象項目名】０００７
【補正方法】変更
【補正の内容】
【０００７】
そこで、本発明は、簡易な構成でシートを安定的に検出可能なシート排出装置、及びこれを備えた画像形成装置を提供することを目的とする。
【手続補正６】
【補正対象書類名】明細書
【補正対象項目名】０００８
【補正方法】変更
【補正の内容】
【０００８】
本発明の一態様に係るシート排出装置は、装置本体と、前記装置本体に設けられ、シートを排出する排出手段と、前記排出手段によって排出されたシートを支持するシート支持面を有し、前記装置本体に対して移動可能な移動トレイと、前記移動トレイに設けられ、前記シート支持面に支持されたシートに押圧されることで移動する移動部材と、前記装置本体に設けられ、前記移動部材の位置に基づいて前記シート支持面に支持されたシートの有無を検知可能な検知手段と、を備え、前記移動部材には、前記装置本体に向かって前記移動トレイの外側に延出する延出部が設けられ、前記装置本体には、前記延出部を前記装置本体の内側に受け入れる開口部が設けられ、前記開口部は、前記装置本体の内側において、前記延出部が前記移動トレイの移動方向に沿って移動可能となるように形成され、前記検知手段は、前記延出部を検出することで前記移動部材の位置を検知する、ことを特徴とする。
本発明の他の一態様に係るシート排出装置は、装置本体と、前記装置本体に設けられ、シートを排出する排出手段と、前記排出手段によって排出されたシートを支持するシート支持面を有し、前記装置本体に対して移動可能な移動トレイと、前記移動トレイに設けられ、前記シート支持面に支持されたシートに押圧されることで移動する移動部材と、前記装置本体に設けられ、前記移動部材の位置に基づいて前記シート支持面に支持されたシートの有無を検知可能な検知手段と、前記移動部材に当接可能な当接部と、前記装置本体の内側へ向けて突出する突出部とを有し、前記当接部が前記移動部材に押圧されることで回動可能な回動部材と、を備え、前記装置本体には、前記回動部材の前記突出部を前記装置本体の内側に受け入れる開口部が設けられ、前記開口部は、前記装置本体の内側において、前記突出部が前記回動部材の回動方向に沿って移動可能となるように形成され、前記検知手段が、前記回動部材の前記突出部を検出することで前記移動部材の位置を検知することを特徴とする。
【手続補正７】
【補正対象書類名】明細書
【補正対象項目名】０００９
【補正方法】変更
【補正の内容】
【０００９】
本発明によると、簡易な構成でシートを安定的に検出可能なシート排出装置及びこれを備えた画像形成装置を提供することができる。
【手続補正８】
【補正対象書類名】明細書
【補正対象項目名】００７４
【補正方法】変更
【補正の内容】
【００７４】
１００…画像形成装置／２００Ｂ…装置本体（処理装置本体）／２０４…排出手段（排出ローラ対）／２０６…整合基準壁（側壁部）／６ａ…開口部（スリット）／２１２，２３２…回動部材（フラグリンク）／２２１…検知手段（シート有無検知センサ）／２２２…位置検知手段、上限位置検知手段（上限位置センサ）／２２４…シート量検知手段（シート面検知センサ）／２５１，２５２，２５３…シート排出装置（シート排出部）／３０２…移動トレイ（排出トレイ）／２ａ…シート支持面（積載面）／３０８，３１８，３２８…揺動部材（シート有無検知フラグ）／８ａ，１８ａ，２８ａ…シート当接部／８ｂ，１８ｂ，２８ｂ…延出部／４００…シート支持装置（シート給送部）／４０２…移動トレイ（給送トレイ）／４０４…給送手段（給送ユニット）／４０８…揺動部材（シート有無検知フラグ）／４１１…検知手段（シート有無検知センサ）／４１２…回動部材（フラグリンク）／Ｍ…駆動源（昇降モータ）